(57)【特許請求の範囲】
【請求項１】
エアフィルタを掃除するブラシと、
前記ブラシにより除去された塵埃を貯留するダストボックス、前記ブラシ、及び電動モータが設けられるとともに、前記エアフィルタの対向する２辺間を跨ぐように配置され、この跨ぎ方向と直交する方向において一端から他端に向かって前記ブラシとともに前記エアフィルタの表面上を往復移動するケースと、
前記ブラシ及び前記ケースを往復移動させるために前記ブラシの移動方向と平行な両側端から突出するように前記ケースに設けられた、前記電動モータを駆動源とする一対のピニオンと、
前記エアフィルタを挟むように前記ブラシが往復移動する方向に沿って設けられた前記ピニオンを支持する一対のラックとを備え、
前記一対のラックは、それぞれが前記ケースと対向する側面を有し、この側面それぞれには、前記ブラシが往復移動する方向に沿って窪んだ溝が設けられ、
前記ケースには、前記溝と係合してこの溝に対して摺動する一対の突起が設けられ、
前記一対の溝と前記一対の突起とがそれぞれ相互に係合することにより、前記ブラシが往復移動する方向に対して直交する方向への前記ケースの移動が規制される
ことを特徴とするエアフィルタ掃除装置。
【請求項２】
前記溝は、前記突起が摺動可能な３つの面により構成されている
ことを特徴とする請求項１に記載のエアフィルタ掃除装置。
【請求項３】
前記３つの面は、前記ピニオンの回転中心線に対して垂直な第１の面と、この第１の面に対して垂直であって互いに平行に対向する第２の面及び第３の面とにより構成されている
ことを特徴とする請求項２に記載のエアフィルタ掃除装置。
【請求項４】
前記第２の面及び前記第３の面は、前記ブラシにより掃除されるエアフィルタの面に対して垂直な方向において対向し、
前記溝に前記突起が挿入された状態において、前記第２の面または前記第３の面と前記突起との間隔が、前記第１の面と前記突起の間隔に比べて短い
ことを特徴とする請求項３に記載のエアフィルタ掃除装置。
【請求項５】
前記ケースは樹脂材料により形成され、
前記ラックは、前記ケースを形成する樹脂材料に比べて摺動性の高い樹脂材料により形成されている
ことを特徴とする請求項１〜４のいずれか一項に記載のエアフィルタ掃除装置。
【請求項６】
摺動性の高い樹脂材料として、ポリアセタール及びポリアミド及びフッ素系樹脂及びポリフェニレンサルファイド及びポリエチレン及びポリエチレンテレフタラートのうちいずれかの樹脂を用いて前記ラックが形成されている
ことを特徴とする請求項５に記載のエアフィルタ掃除装置。
【請求項７】
請求項１〜６のいずれか一項に記載のエアフィルタ掃除装置を備えることを特徴とする投写型映像表示装置。
【発明の詳細な説明】
【技術分野】
【０００１】
本願発明は、ブラシによりエアフィルタを掃除するエアフィルタ掃除装置及びこれを備えた投写型映像表示装置に関する。
【背景技術】
【０００２】
従来から、エアフィルタを掃除するブラシを備えたエアフィルタ掃除装置が知られている。このようなエアフィルタ掃除装置において、ブラシが往復移動する方向に沿って設けられたラックと、このラックと噛み合うピニオンとを備え、ピニオンがラックと噛み合って回転することにより、ブラシが移動する構成が知られている（例えば、特許文献１参照）。
【０００３】
また、ブラシを備えたエアフィルタ掃除装置を備える装置として、映像を投写して表示する投写型映像表示装置であるプロジェクタが開示されている（例えば、特許文献２参照）。
【先行技術文献】
【特許文献】
【０００４】
【特許文献１】特開２００９−８２８３７号公報
【特許文献２】特開２００７−１５６１８６号公報
【発明の概要】
【発明が解決しようとする課題】
【０００５】
ところで、机の水平面のみならず天井や壁等に設置可能に設計された投写型映像表示装置が知られている。従って、天井や壁等に設置されると、重力が作用する方向である重力方向が変化する。このときに、特許文献１に記載される構成を適用した場合には、ブラシが設けられたケースを確実に支持することができないおそれがある。
【０００６】
本発明は、こうした実情に鑑みてなされたものであり、その目的は、重力方向が変化する場合であっても、ブラシとともに往復移動するケースを確実に支持することが可能となるエアフィルタ掃除装置、及びこれを備えた投写型映像表示装置を提供することにある。
【課題を解決するための手段】
【０００７】
以下、上記目的を達成するための手段及びその作用効果について記載する。
請求項１に記載の発明は、エアフィルタを掃除するブラシと、前記ブラシにより除去された塵埃を貯留するダストボックス、前記ブラシ、及び電動モータが設けられるとともに、前記エアフィルタの対向する２辺間を跨ぐように配置され、この跨ぎ方向と直交する方向において一端から他端に向かって前記ブラシとともに前記エアフィルタの表面上を往復移動するケースと、前記ブラシ及び前記ケースを往復移動させるために前記ブラシの移動方向と平行な両側端から突出するように前記ケースに設けられた、前記電動モータを駆動源とする一対のピニオンと、前記エアフィルタを挟むように前記ブラシが往復移動する方向に沿って設けられた前記ピニオンを支持する一対のラックとを備え、前記一対のラックは、それぞれが前記ケースと対向する側面を有し、この側面それぞれには、前記ブラシが往復移動する方向に沿って窪んだ溝が設けられ、前記ケースには、前記溝と係合してこの溝に対して摺動する一対の突起が設けられ、前記一対の溝と前記一対の突起とがそれぞれ相互に係合することにより、前記ブラシが往復移動する方向に対して直交する方向への前記ケースの移動が規制されることを特徴とする。
【０００８】
上記構成によれば、ケースと対向するラックの側面には、ブラシが往復移動する方向に沿って側面から窪んだ溝が設けられ、ブラシが設けられたケースには、ラックの側面に設けられた溝と係合してこの溝に対して摺動する突起が設けられている。溝と突起とが係合することにより、ブラシが往復移動する方向に対して直交する方向へのケースの移動が規制される。このため、ブラシが往復移動する方向に沿って設けられた溝により、ブラシが往復移動する方向に対して直交する方向において、ブラシとともに往復移動するケースの突起を支持することができる。従って、ケースの両側端から突出するように設けられたピニオンをラックに噛み合わせるとともに、ケースの両側端に設けられた突起をラックの側面に形成された溝に係合させ、ラックを所定位置に設けることにより、重力方向が変化する場合であっても、ブラシとともにケースを確実に往復移動することのできるエアフィルタ装置を構成することができる。
【００１３】
請求項２に記載の発明は、請求項１に記載のエアフィルタ掃除装置であって、前記溝は、前記突起が摺動する３つの面により構成されていることを特徴とする。
上記構成によれば、ラックの側面に設けられた溝は、ケースに設けられた突起が摺動する３つの面により構成されている。このため、１つの溝により突起を３方向から支持することが可能である。
【００１４】
請求項３に記載の発明は、請求項２に記載のエアフィルタ掃除装置であって、前記３つの面は、前記ピニオンの回転中心線に対して垂直な第１の面と、この第１の面に対して垂直であって互いに平行に対向する第２の面及び第３の面とにより構成されていることを特徴とする。
【００１５】
上記構成によれば、溝を構成する第１の面は、ピニオンの回転中心線に対して垂直な面である。このため、第１の面により、ピニオンの回転中心線に対して平行な方向のケースの移動を規制することができる。また、溝を構成する第２の面及び第３の面は、第１の面に対して垂直であって互いに平行に対向する面である。このため、第２の面及び第３の面により、ケースが往復移動する方向を除いて、ピニオンの回転中心線に対して垂直な方向のケースの移動を規制することができる。よって、第１〜第３の面により、互いに直交する３方向から突起を支持することができる。
【００１６】
請求項４に記載の発明は、請求項３に記載のエアフィルタ掃除装置であって、前記第２の面及び前記第３の面は、前記ブラシにより掃除されるエアフィルタの面に対して垂直な方向において対向し、前記溝に前記突起が挿入された状態において、前記第２の面または前記第３の面と前記突起との間隔が、前記第１の面と前記突起の間隔に比べて短いことを特徴とする。
【００１７】
上記構成によれば、溝に突起が挿入された状態において、ブラシにより掃除されるエアフィルタの面に対して垂直な方向において対向する第２の面または第３の面と突起との間隔が、第１の面と突起の間隔に比べて短い。このため、第２の面及び第３の面により、エアフィルタの面に対して垂直な方向におけるケースの移動が規制され易く、ケースに設けられたブラシをエアフィルタの面に対して安定的に押し当てることができる。
【００２０】
請求項５に記載の発明は、請求項１〜４のいずれか一項に記載のエアフィルタ掃除装置であって、前記ケースは樹脂材料により形成され、前記ラックは、前記ケースを形成する樹脂材料に比べて摺動性の高い樹脂材料により形成されていることを特徴とする。
【００２１】
上記構成によれば、溝が側面に設けられるラックは、ケースを形成する樹脂材料に比べて摺動性の高い樹脂により形成されている。このため、例えば、ケースがＡＢＳ樹脂により形成されて、支持部がポリフェニレンサルファイドにより形成されることにより、ケースとラックとがＡＢＳ樹脂により形成されている場合に比べて、ラックに対する突起の摺動性を高めることができる。
【００２２】
請求項６に記載の発明は、請求項５に記載のエアフィルタ掃除装置であって、摺動性の高い樹脂材料として、ポリアセタール及びポリアミド及びフッ素系樹脂及びポリフェニレンサルファイド及びポリエチレン及びポリエチレンテレフタラートのうちいずれかの樹脂を用いて前記ラックが形成されていることを特徴とする。
【００２３】
上記構成によれば、ポリアセタール及びポリアミド及びフッ素系樹脂及びポリフェニレンサルファイド及びポリエチレン及びポリエチレンテレフタラートのうちいずれかの樹脂を用いて、ラックが形成される。このため、耐摩耗性に優れた溝を形成することができる。
【００２４】
請求項７に記載の発明は、請求項１〜６のいずれか一項に記載のエアフィルタ掃除装置を備えることを特徴とする。
上記構成によれば、請求項１〜６のいずれか一項に記載のエアフィルタ掃除装置を備えるため、上記発明と同様の作用効果を得ることができる。
【発明の効果】
【００２５】
本発明によれば、ケースとラックとを係合及び噛み合わせるとともにラックを所定位置に設けることにより、重力が作用する方向である重力方向が変化する場合であっても、ブラシとともにケースを確実に往復移動することのできるエアフィルタ掃除装置を構成することができる。
【図面の簡単な説明】
【００２６】
【図１】（ａ）（ｂ）本発明の一実施形態に係る投写型映像表示装置の斜視図。
【図２】同実施形態に係る投写型映像表示装置が備える光学系を示す構成図。
【図３】同実施形態に係る投写型映像表示装置の側面図。
【図４】同実施形態に係るエアフィルタ掃除装置の斜視図。
【図５】同実施形態に係るエアフィルタ掃除装置の平面図。
【図６】同実施形態に係るエアフィルタ掃除装置が備える基材から、支持部であるラックと掃除ユニットとを取り外した状態を示す斜視図。
【図７】（ａ）（ｂ）同実施形態に係るエアフィルタ掃除装置が備えるラックの断面斜視図。
【図８】同実施形態に係るエアフィルタ掃除装置が備える掃除ユニットの分解斜視図。
【図９】（ａ）（ｂ）同実施形態に係るエアフィルタ掃除装置が備えるケースの斜視図。
【図１０】同実施形態に係る掃除ユニットが備えるダストボックスを展開した状態を示す斜視図。
【図１１】同実施形態に係るケースの支持構造を示す断面図。
【図１２】同実施形態に係るケースの支持構造を示す断面図。
【図１３】同実施形態に係るケースの寸法とラックの寸法との関係を示す模式的な断面図。
【図１４】同実施形態に係る投写型映像表示装置の設置態様の一例を示す斜視図。
【図１５】図１４に示す設置態様におけるケースの支持態様を示す断面図。
【図１６】同実施形態に係る投写型映像表示装置の設置態様の一例を示す斜視図。
【図１７】図１６に示す設置態様におけるケースの支持態様を示す断面図。
【図１８】同実施形態に係る投写型映像表示装置の設置態様の一例を示す斜視図。
【図１９】図１８に示す設置態様におけるケースの支持態様を示す断面図。
【図２０】同実施形態に係る投写型映像表示装置の設置態様の一例を示す斜視図。
【図２１】図２０に示す設置態様におけるケースの支持態様を示す断面図。
【発明を実施するための形態】
【００２７】
以下、本発明を具体化した一実施形態について図面を参照しながら説明する。
図１（ａ）及び（ｂ）に示すように、プロジェクタ１は、電子部品や光学部品を内蔵する筐体１０を備えている。プロジェクタ１は、スクリーンや壁等の平面上に映像を投写して表示する投写型映像表示装置である。以下、プロジェクタ１が映像の光を投射する方向を前後方向における前方とする。また、プロジェクタ１を水平面（図示略）に設置したときに、水平面に平行な方向であって前後方向に直交する方向を左右方向とする。
【００２８】
図２及び図３に示すように、プロジェクタ１は映像を表示するための光学系２を筐体１０内に備えている。筐体１０の内部には、光学系２を構成する光学部品として、映像表示用の光源であるランプ２１ａ，２１ｂ，２１ｃ，２１ｄと、白色光を赤・緑・青の三原色の光に分離するダイクロイックミラー２６ｒ，２６ｂと、三原色の光に対応した液晶ライトバルブ２７ｒ，２７ｇ，２７ｂとが設けられている。
【００２９】
超高圧水銀ランプやメタルハライドランプ等の放電ランプにより構成されるランプ２１ａ，２１ｂ，２１ｃ，２１ｄの各々は、白色光を光軸方向に平行な平行光として発する。図２において、一点鎖線Ｌ１は、ランプ２１ａ，２１ｂの光軸Ｌ１であって、一点鎖線Ｌ２は、ランプ２１ｃ，２１ｄの光軸Ｌ２である。２つのランプ２１ａ，２１ｂが左右方向において対向するように配置されるとともに、２つのランプ２１ｃ，２１ｄが左右方向において対向するように配置されている。従って、本実施形態においては、左右方向がランプ２１ａ，２１ｂ，２１ｃ，２１ｄの光軸方向（光軸Ｌ１，Ｌ２に平行な方向）である。
【００３０】
なお、前方または後方から見て光軸Ｌ１と光軸Ｌ２とが重ならないようにランプ２１ａ，２１ｂ，２１ｃ，２１ｄが設けられている。即ち、具体的には、図３に示すように、ランプ２１ａ，２１ｂは、ランプ２１ｃ，２１ｄに比べて、筐体１０の底面１０ｅ側に設けられている。筐体１０が有する底面１０ｅは、プロジェクタ１が水平面に設置されたときに、その水平面と対向する面である。
【００３１】
ランプ２１ａ，２１ｂ，２１ｃ，２１ｄの各々が発する光は、全反射ミラー２２により液晶ライトバルブ２７ｒ，２７ｇ，２７ｂに導かれる。このとき、光が液晶ライトバルブ２７ｒ，２７ｇ，２７ｂに入射するまでに、一対のフライアイレンズにより構成されるインテグレータレンズ２３によって照度分布の均一化が図られるとともに、偏光変換素子２４によって偏光方向が所定方向に揃えられる。また、集光レンズ２５によって光束が収束されて液晶ライトバルブ２７ｒ，２７ｇ，２７ｂに光が入射するように構成されている。
【００３２】
ランプ２１ａ，２１ｂ，２１ｃ，２１ｄが発する白色光は、赤色の波長の光が透過するダイクロイックミラー２６ｒと、青色の波長の光が透過するダイクロイックミラー２６ｂとにより、赤色の波長の光（以下、「赤色光」）と緑色の波長の光（以下、「緑色光」）と青色の波長の光（以下、「青色光」）とに分離される。
【００３３】
白色光から分離された赤色光は液晶ライトバルブ２７ｒに入射する。液晶ライトバルブ２７ｒは、画像を構成する画素毎に光の透過率が変更可能なライトバルブであって、液晶パネルや偏光板（いずれも図示略）を含んでいる。液晶ライトバルブ２７ｒに入射した赤色光が、液晶ライトバルブ２７ｒを透過することによって赤色の映像が生成される。
【００３４】
白色光から分離された緑色光は液晶ライトバルブ２７ｇに入射する。液晶ライトバルブ２７ｇも、液晶ライトバルブ２７ｒと同様に画素毎に光の透過率が変更可能なライトバルブである。液晶ライトバルブ２７ｇに入射した緑色光が、液晶ライトバルブ２７ｇを透過することによって緑色の映像が生成される。
【００３５】
白色光から分離された青色光は液晶ライトバルブ２７ｂに入射する。液晶ライトバルブ２７ｂも、液晶ライトバルブ２７ｒ，２７ｇと同様に画素毎に光の透過率が変更可能なライトバルブである。液晶ライトバルブ２７ｂに入射した青色光が、液晶ライトバルブ２７ｂを透過することによって青色の映像が生成される。
【００３６】
さらに、筐体１０内には、光学系２を構成する光学部品として、三原色の映像の光を合成するクロスダイクロイックプリズム２８と、映像の光を投射するレンズ群を備えた投射レンズ２９とが設けられている。
【００３７】
液晶ライトバルブ２７ｒ，２７ｇ，２７ｂにおいて生成された赤・緑・青の映像の光は、クロスダイクロイックプリズム２８に入射して、クロスダイクロイックプリズム２８において合成されることにより、３色以上のフルカラーの映像が生成される。生成されたフルカラーの映像の光は、クロスダイクロイックプリズム２８から出射されて投射レンズ２９に入射する。
【００３８】
投射レンズ２９は、プロジェクタ１の前方に設けられるスクリーンや壁等の平面に向けて３色以上のフルカラーの映像の光を投射する。このようにしてプロジェクタ１は平面上に映像を表示する。図２において、一点鎖線Ｌ３は、投射レンズ２９の光軸Ｌ３であって、投射レンズ２９は、光軸Ｌ３を中心として映像の光を投射する。図２に示すように、前後方向と左右方向とに直交する方向から見て、投射レンズ２９の光軸Ｌ３は、光軸Ｌ１，Ｌ２に対して垂直である。即ち、光軸Ｌ３と、光軸Ｌ１，Ｌ２とは、互いに異なる方向に平行である。
【００３９】
発光に伴い発熱するランプ２１ａ，２１ｂ，２１ｃ，２１ｄの長寿命化のためには、ランプ２１ａ，２１ｂ，２１ｃ，２１ｄの光軸方向を鉛直方向に向けないようにする必要がある。即ち、光軸Ｌ１，Ｌ２が水平方向に延びるように設けられる必要がある。本実施形態においては、投射レンズ２９の光軸Ｌ３に平行な方向が、ランプ２１ａ，２１ｂ，２１ｃ，２１ｄの光軸Ｌ１，Ｌ２に平行な方向と異なる。このため、光軸Ｌ１，Ｌ２を鉛直方向に延びないように水平方向に平行に設けながら、光軸Ｌ３に平行な方向（投射レンズ２９の光軸方向）を変化させて、種々の平面上に映像を表示することができる。具体的には、例えば、底面１０ｅを水平面または天井と対向するようにプロジェクタ１を設置することにより、スクリーンや壁に映像を表示することが可能であり、底面１０ｅを壁と対向するようにプロジェクタ１を設置することにより、床または天井に映像を表示することが可能である。
【００４０】
以上のように、本実施形態に係るプロジェクタ１は、３板式の液晶プロジェクタであって、一画像を４つの光源により映し出す４灯式の投写型映像表示装置である。プロジェクタ１は、上記光学部品の他にも、液晶ライトバルブ２７ｒ，２７ｂ，２７ｂを構成する液晶パネルを駆動するための電子部品（不図示）や、光学部品及び電子部品を冷却するためのファンである吸気ファン（図示略）を筐体１０内に備えている。
【００４１】
プロジェクタ１は、光学部品等を冷却するための空気を筐体１０の外部から内部へ流入させるとともに、筐体１０の内部へ流入しようとする空気中の塵埃を捕捉するためのエアフィルタ装置３（図１参照）を備えている。以下、筐体１０の内部へ向かう方向を内方とするとともに、この内方と反対側の方向であって筐体１０の外部へ向かう方向を外方として、エアフィルタ装置３を説明する。
【００４２】
図１（ｂ）に示すように、筐体１０の底面１０ｅ側に設けられるエアフィルタ装置３は、筐体１０の前方から引き出されることによって、プロジェクタ１から取り外すことができるように構成されている。即ち、エアフィルタ装置３は、前後方向にスライドさせることによって、プロジェクタ１に対して着脱可能に構成されている。
【００４３】
エアフィルタ装置３は、樹脂材料からなる基材３１を備えている。基材３１には、吸気口である四角形状の開口３１ａが形成されるとともに、この開口３１ａを覆うように静電フィルタ３２が基材３１に設けられている。さらに、基材３１には、静電フィルタ３２と同様に開口３１ａを覆うウレタンフィルタ（図示略）が設けられている。ウレタンフィルタはウレタンにより形成されたエアフィルタである。
【００４４】
断面が波形状の静電フィルタ３２は、静電気を帯電する繊維により構成されたエアフィルタである。弾性変形可能な静電フィルタ３２及び上記ウレタンフィルタは、基材３１に埋め込まれるように設けられ、基材３１から抜け落ちないように基材３１に一体的に形成された突起３１ｂによって移動が規制されている。
【００４５】
図４は、図１（ｂ）に示すエアフィルタ装置３の反対側、即ち筐体１０の外部に向けて設けられる側を図示したエアフィルタ装置３の斜視図である。また、図５は、外方から見た場合のエアフィルタ装置３の平面図である。
【００４６】
図４及び図５に示すように、エアフィルタ装置３は、静電フィルタ３２及び上記ウレタンフィルタよりも外方に設けられたエアフィルタ３４を備えている。塵埃を捕捉するエアフィルタ３４は、格子状に形成された枠部材３４Ａに接着または融着されて設けられている。枠部材３４Ａが基材３１にねじ止めされることによって、エアフィルタ３４が開口３１ａを覆うように基材３１に設けられる。
【００４７】
また、基材３１には、直線状に形成されるとともに外方に向けられた歯を有するギアとして、第１のラック３５と第２のラック３６とがねじ止めにより固定されて設けられている。第１のラック３５は、エアフィルタ３４の前方において、左右方向に延びるように設けられるとともに、第２のラック３６は、エアフィルタ３４の後方において、左右方向に延びるように設けられている。このようにして、一対のラック３５，３６は、エアフィルタ３４を挟むようにして互いに平行に設けられている。
【００４８】
図６は、基材３１から、ラック３５，３６を取り外した状態を示す斜視図である。また、図７（ａ）は、第１のラック３５の断面を示す斜視図であって、図７（ｂ）は、第２のラック３６の断面を示す斜視図である。なお、図７（ａ）及び（ｂ）に示す断面は、図４のＡ−Ａ矢視断面である。
【００４９】
図７（ａ）に示すように、第１のラック３５には、基材３１に挿入される挿入部３５Ａと、貫通孔３５ａが形成された被固定部３５Ｂと、外方側端部に設けられた歯３５Ｇとが形成されている。
【００５０】
左右方向に延びて設けられる挿入部３５Ａは、内方に突出させて設けられるとともに、製造コスト低減の観点から、その内部が中空形状に形成されている。また、被固定部３５Ｂは、前方に突出させて設けられるとともに、複数形成されている。第１のラック３５は、基材３１に挿入部３５Ａを挿入した状態で、被固定部３５Ｂの貫通孔３５ａにねじを挿通させて、基材３１に対してねじ止めされる。
【００５１】
また、第１のラック３５は、後側に設けられて左右方向に延びた側面３５ｂを有している。そして、第１のラック３５には、側面３５ｂに対して前方に窪んだ溝３５Ｄが設けられている。溝３５Ｄは、左右方向において断面形状を変化させずに形成され、溝３５Ｄ内において前側に設けられた第１の面３５ｃと、側面３５ｂと第１の面３５ｃとを接続する互いに平行な第２の面３５ｄ及び第３の面３５ｅとにより構成されている。
【００５２】
図７（ｂ）に示すように、第２のラック３６には、第１のラック３５と同様に、基材３１に挿入される挿入部３６Ａと、貫通孔３６ａが形成された被固定部３６Ｂと、外方側端部に設けられた歯３６Ｇとが形成されている。
【００５３】
左右方向に延びて設けられる挿入部３６Ａも、挿入部３５Ａと同様に、内方に突出させて設けられるとともに、製造コスト低減の観点から、その内部が中空形状に形成されている。また、被固定部３６Ｂは、後方に突出させて設けられるとともに、複数形成されている。第２のラック３６も、第１のラック３５と同様にして、基材３１に対してねじ止めされる。
【００５４】
また、第２のラック３６は、前側に設けられて左右方向に延びた側面３６ｂを有している。そして、第２のラック３６には、側面３６ｂに対して後方に窪んだ溝３６Ｄが設けられている。溝３６Ｄも、左右方向において断面形状を変化させずに形成され、溝３６Ｄ内において前側に設けられた第１の面３６ｃと、側面３６ｂと第１の面３６ｃとを接続する互いに平行な第２の面３６ｄ及び第３の面３６ｅとにより構成されている。
【００５５】
なお、溝３５Ｄは、前方に突出させて形成される被固定部３５Ｂに対して、外方に位置をずらして設けられている。このため、溝３５Ｄを有する第１のラック３５の樹脂成形時において、第１のラック３５の機械的強度を確保することができる。また、第１のラック３５を所望の寸法で形成し易くなる。
【００５６】
また、溝３６Ｄも、前方に突出させて形成される被固定部３６Ｂに対して、外方に位置をずらして設けられている。このため、溝３６Ｄを有する第２のラック３６の樹脂成形時において、第２のラック３６の機械的強度を確保することができる。また、第２のラック３６を所望の寸法で形成し易くなる。
【００５７】
また、図４及び図５に示すように、基材３１の前側端部には、エアフィルタ装置３がプロジェクタ１に取り付けられたときに、プロジェクタ１が備えるコネクタ（図示略）と接続されるコネクタ３７が設けられている。このコネクタ３７が、プロジェクタ１のコネクタと接続されることにより、プロジェクタ１からエアフィルタ装置３が備える電気部品に電力が供給可能となる。
【００５８】
さらに、基材３１の前側端部には、エアフィルタ装置３がプロジェクタ１に取り付けられたときに筐体１０の表面と段差がない状態（即ち、面一）で設けられるパネル３８が取り付けられている。
【００５９】
エアフィルタ３４等を備えるエアフィルタ装置３がプロジェクタ１に取り付けられることにより、筐体１０にはエアフィルタ３４等により構成される３層のエアフィルタが設けられる。
【００６０】
エアフィルタ装置３は、エアフィルタ３４を自動的に掃除する掃除ユニット４を備えている。即ち、エアフィルタ装置３は、エアフィルタ３４と掃除ユニット４とを備えるエアフィルタ掃除装置である。略直方体状の掃除ユニット４は、エアフィルタ３４を掃除しない状態においては、外方及び内方から見てエアフィルタ３４と重ならない位置に配置されている。
【００６１】
図６に示すように、ラック３５，３６に支持されるように設けられる掃除ユニット４は、ラック３５，３６を基材３１から取り外した状態で、ラック３５，３６から取り外すことができる。
【００６２】
図８は、図６に示す掃除ユニット４が備えるケース４１から、ケース４１にねじ止めにより固定されるダストボックス５及びカバー４６，４７を取り外した状態の分解斜視図である。また、図９は、ケース４１の前後方向における両端を示す斜視図である。図１０は、ダストボックス５を展開した状態を示す斜視図である。
【００６３】
図８に示すように、掃除ユニット４は、エアフィルタ３４を掃除するブラシ４５、ブラシ４５に付着した埃を溜めるダストボックス５、ブラシ４５およびダストボックス５が設けられるケース４１、ブラシ４５から埃を除去する除塵体６（図１０参照）等を備えている。
【００６４】
樹脂材料からなるケース４１は、本実施形態においてはＡＢＳ樹脂により形成されている。前後方向に延びて形成されたケース４１の前側端部には、小型の電動モータ４２を収容するモータ収容部４１ａが設けられている。また、ケース４１の左側端部には、ケース４１の前側端部から後側端部にわたって、電動モータ４２によって回転させられる回転軸４３を収容する回転軸収容部４１ｂが設けられている。
【００６５】
また、ケース４１の後側端部には、回転軸４３の回転をブラシ４５に伝達するための動力伝達機構４４を収容する動力伝達機構収容部４１ｃが設けられている。前側端部に設けられたモータ収容部４１ａと、後側端部に設けられた動力伝達機構収容部４１ｃとは、前後方向において間隔をあけて設けられている。従って、ケース４１内においてモータ収容部４１ａと動力伝達機構収容部４１ｃとの間には空間が形成されている。この空間は、左側端部に設けられた回転軸収容部４１ｂよりも右方に設けられた空間であって、この空間にブラシ４５とダストボックス５とが設けられる。
【００６６】
また、ブラシ４５とともに移動するケース４１には、突起４１Ａ，４１Ｂが設けられている。図９（ａ）に示すように、ケース４１の前側端部には、前方へ突出する平板状の突起４１Ａが左右方向に沿って延びて設けられている。また、図９（ｂ）に示すように、ケース４１の後側端部には、後方へ突出する平板状の突起４１Ｂが左右方向に沿って延びて設けられている。
【００６７】
突起４１Ａ，４１Ｂは、ケース４１の内方側端部においてラック３５，３６の側面３５ｂ，３６ｂと対向する位置に形成され、突起４１Ａは溝３５Ｄに挿入されるとともに、突起４１Ｂは溝３６Ｄに挿入される。突起４１Ａ，４１Ｂは、ケース４１と単一の材料により一体的に形成されるとともに、本実施形態においては面取りされて形成されている。
【００６８】
図８に示すように、モータ収容部４１ａに収容された電動モータ４２は、掃除ユニット４が備える動力源である。電動モータ４２は、ケース４１にねじ止めされたモータカバー４２Ａにより覆われている。電動モータ４２は、かさ歯車４２ｂが先端に設けられた出力軸４２ａを有している。電気部品である電動モータ４２は、コネクタ３７を介してプロジェクタ１から供給される電力により、かさ歯車４２ｂを回転させる。電動モータ４２が有する出力軸４２ａは、左方へ延びて設けられて、かさ歯車４２ｂは回転軸収容部４１ｂ内に設けられている。
【００６９】
また、モータ収容部４１ａには、電動モータ４２に電力を供給するための配線が形成されたプリント配線板４２Ｂが収容されている。ケース４１とともに左右方向に移動する電動モータ４２においては、プリント配線板４２Ｂにフィルム状のフレキシブルケーブル（不図示）が接続されることが好ましい。即ち、ケース４１内に設けられた電動モータ４２は、フレキシブルケーブルを介して、基材３１に設けられたコネクタ３７と接続されることが好ましい。
【００７０】
回転軸収容部４１ｂに収容された回転軸４３は、前後方向に延びて設けられた金属材料からなる軸部材である。回転軸４３には、かさ歯車４２ｂと噛み合うかさ歯車４３ａと、動力伝達機構４４に接続される平歯車４３ｂとが設けられている。従って、電動モータ４２は、かさ歯車４２ｂ，４３ａを介して、回転軸４３を回転させるとともに、回転軸４３の平歯車４３ｂを介して、動力伝達機構４４に回転力を伝達する。
【００７１】
さらに、回転軸４３の前側端部には、回転体の外周に歯を有するギアとして、樹脂材料からなる第１のピニオン４３Ａが設けられるとともに、回転軸４３の後側端部には、同様に、樹脂材料からなる第２のピニオン４３Ｂが設けられている。第１のピニオン４３Ａは、ケース４１の前方に突出して設けられるとともに、第２のピニオン４３Ｂは、ケース４１の後方に突出して設けられている。第１のピニオン４３Ａは、第１のラック３５の歯３５Ｇと噛み合う。また、第２のピニオン４３Ｂは、第２のラック３６の歯３６Ｇと噛み合う。従って、電動モータ４２は、回転軸４３に設けられてラック３５，３６と噛み合うピニオン４３Ａ，４３Ｂを回転させて、ブラシ４５及びケース４１を含む掃除ユニット４を左右方向に移動させる。
【００７２】
かさ歯車４３ａと第１のピニオン４３Ａは、耐摩耗性に優れた１つの樹脂部材４８により形成されている。また、平歯車４３ｂと第２のピニオン４３Ｂも、耐摩耗性に優れた１つの樹脂部材４９により形成されている。かさ歯車４３ａと第１のピニオン４３Ａとの間において樹脂部材４８に設けられた円筒状の中間部がケース４１の前側端部により支持されるとともに、平歯車４３ｂと第２のピニオン４３Ｂとの間において樹脂部材４９に設けられた円筒状の中間部がケース４１の後側端部により支持されている。このようにして、回転軸４３はケース４１により回転可能に支持されている。なお、ケース４１の前側端部及び後側端部以外の部位においても、回転軸４３はケース４１により回転可能に支持されている。
【００７３】
以上のように、ピニオン４３Ａ，４３Ｂは、ブラシ４５及びケース４１を往復移動させるためにケース４１の外部に設けられた推進機構である。そして、ブラシ４５が往復移動する方向に沿って設けられてピニオン４３Ａ，４３Ｂと噛み合うラック３５，３６は、推進機構であるピニオン４３Ａ，４３Ｂを支持する支持部である。なお、本実施形態においては、支持部であるラック３５，３６は、筐体１０を形成する材料とは別材料によって形成された支持部材であるが、ピニオン４３Ａ，４３Ｂと噛み合うラックが筐体１０と一体的に形成されていてもよい。
【００７４】
動力伝達機構収容部４１ｃに収容された動力伝達機構４４は、平歯車４３ｂと噛み合う機械要素により構成されている。動力伝達機構４４には、ブラシ４５を構成する軸部材４５ａに接続され、回転軸４３の回転力をブラシ４５に伝達する。従って、電動モータ４２が回転軸４３を回転させることにより、ブラシ４５も回転する。なお、動力伝達機構４４は、ダストボックス５に塵埃が溜まる方向のみにブラシ４５を回転させるように、ワンウェイクラッチにより構成されていることが好ましい。
【００７５】
ブラシ４５は、金属または樹脂材料からなる軸部材４５ａと、軸部材４５ａの外周において回転する軸部材４５ａの遠心方向に向けて設けられた繊維４５ｂとにより構成されている。ブラシ４５の前後方向における両端部において、軸部材４５ａがケース４１に支持されることによって、ブラシ４５はケース４１により回転可能に支持されている。円筒状の繊維４５ｂは、その一部がケース４１内から内方に突出するように設けられている。従って、掃除ユニット４がエアフィルタ３４と対向して移動しながら、ブラシ４５が回転することにより、エアフィルタ３４が掃除されて、ブラシ４５の繊維４５ｂに塵埃が付着する。
【００７６】
カバー４６は、ケース４１の前側端部に対してねじ止めにより固定される。カバー４６がケース４１に設けられることにより、ケース４１内の前側端部に設けられる電動モータ４２及びプリント配線板４２Ｂ及びかさ歯車４２ｂ，４３ａが、カバー４６により覆われる。カバー４６がケース４１にねじ止めされることにより、回転軸４３及びブラシ４５の軸部材４５ａはケース４１だけでなくカバー４６によっても回転可能に支持される構成となっている。
【００７７】
カバー４７は、ケース４１の後側端部に対してねじ止めにより固定される。カバー４７がケース４１に設けられることにより、ケース４１内の後側端部に設けられる平歯車４３ｂ及び動力伝達機構４４が、カバー４７により覆われる。カバー４７がケース４１にねじ止めされることにより、回転軸４３及びブラシ４５の軸部材４５ａはケース４１だけでなくカバー４７によっても回転可能に支持される構成となっている。即ち、ケース４１及びカバー４６，４７が回転軸４３及び軸部材４５ａの軸受けとして機能する。
【００７８】
図１０に示すように、ケース４１内に取り付けられるダストボックス５は、内側ケース５Ａと、外側ケース５Ｂとにより構成されている。樹脂材料からなるケース５Ａ，５Ｂは、ダストボックス５が展開するように回動可能に連結されている。
【００７９】
内側ケース５Ａは、ダストボックス５内の空間を形成する壁として、内側壁部５１と右側壁部５２と前側壁部５３と後側壁部５４とを有している。また、内側ケース５Ａは、ケース５Ａ，５Ｂが回動可能に連結されるための軸部５５を有している。
【００８０】
内側壁部５１は、ダストボックス５がケース４１に取り付けられたときに、ダストボックス５において内側に設けられる。内側壁部５１には、ダストボックス５内の空間の長手方向において、その空間を仕切る隔壁５１ａが設けられている。この隔壁５１ａにより、ダストボックス５内の空間の長手方向が鉛直方向となったときであっても、ダストボックス５内の塵埃が１箇所に溜まる量を抑制することができる。
【００８１】
また、内側壁部５１には、ブラシ４５の繊維４５ｂに付着した塵埃を除去する除塵体６が設けられる。内側壁部５１には、除塵体６が内側壁部５１に取り付けられるために、移動規制片５１ｂと突部５１ｃが設けられている。移動規制片５１ｂは、内側壁部５１を変形させて形成されるとともに、突部５１ｃは、内側壁部５１の表面を膨らませて形成されている。突部５１ｃが除塵体６に設けられた貫通孔６１に挿通された状態で、除塵体６の移動が移動規制片５１ｂにより規制される。
【００８２】
右側壁部５２は、ダストボックス５がケース４１に取り付けられた状態において、内側壁部５１の右側端部に接続されるとともに、内側壁部５１の右側端部から外方に向けて延びる。このように右側壁部５２は、ダストボックス５において右側に設けられる。
【００８３】
前側壁部５３は、ダストボックス５がケース４１に取り付けられた状態において、内側壁部５１の前側端部に接続されるとともに、内側壁部５１の前側端部から外方に向けて延びる。このように前側壁部５３は、ダストボックス５において前側に設けられ、右側壁部５２と接続されている。
【００８４】
後側壁部５４は、ダストボックス５がケース４１に取り付けられた状態において、内側壁部５１の後側端部に接続されるとともに、内側壁部５１の後側端部から外方に向けて延びる。このように後側壁部５４は、ダストボックス５において後側に設けられ、右側壁部５２と接続されている。
【００８５】
円柱状の軸部５５は、右側壁部５２において、ダストボックス５内の空間の長手方向（即ち、ダストボックス５がケース４１に取り付けられた状態における前後方向）の両端部に設けられている。
【００８６】
外側ケース５Ｂは、ダストボックス５内の空間を形成する壁として、外側壁部５６を有している。また、外側ケース５Ｂは、ブラシ４５を覆うためのブラシカバー部５７と、ケース５Ａ，５Ｂが回動可能に連結されるための軸支持部５８と、ダストボックス５をケース４１に対して回動可能に取り付けるための取付部５９とを有している。
【００８７】
外側壁部５６は、ダストボックス５がケース４１に取り付けられたときに、ダストボックス５において外側に設けられる。外側壁部５６には、ダストボックス５内の空間を左右方向において仕切る隔壁５７ａが設けられている。この隔壁５７ａにより、ダストボックス５内の空間から塵埃が流出することを抑制することができる。
【００８８】
また、外側壁部５６には、内側ケース５Ａと外側ケース５Ｂとが閉じた状態を維持するために係止片５７ｂが設けられている。係止片５７ｂは、ダストボックス５内に空間が形成されるように内側ケース５Ａと外側ケース５Ｂとが閉じたときに、内側ケース５Ａの隔壁５１ａの先端に設けられた突出部５１ｄと係合するように形成されている。係止片５７ｂが突出部５１ｄと係合することにより、内側ケース５Ａに対する外側ケース５Ｂの回動が係止される。
【００８９】
ブラシカバー部５７は、ブラシ４５が設けられる方向に外側壁部５６を延ばして形成されている。ダストボックス５がケース４１に取り付けられることにより、ケース４１内に設けられた回転軸４３及びブラシ４５が、ブラシカバー部５７により覆われる。ダストボックス５がケース４１に取り付けられたときには、ダストボックス５のブラシカバー部５７がねじ止めによりケース４１に固定される。
【００９０】
軸支持部５８は、ダストボックス５内の空間の長手方向の両端部に軸部５５と対応させて設けられている。外側ケース５Ｂの軸支持部５８により、内側ケース５Ａの軸部５５の外周が支持されることにより、ケース５Ａ，５Ｂが回動可能に連結されている。
【００９１】
取付部５９は、外側ケース５Ｂの後側端部と前側端部とに設けられている。取付部５９は、小判形状の突起と、この突起から前後方向において突出した円柱状の突起とにより形成されている。このような取付部５９がケース４１によって支持されることにより、ダストボックス５がケース４１に取り付けられる。
【００９２】
以上のように構成されたダストボックス５は、内側壁部５１と右側壁部５２と前側壁部５３と後側壁部５４とにより形成されるとともに、左方に向けて開口する空間を有している。従って、塵埃を溜めるダストボックス５は、ケース４１に取り付けられたときに、ブラシ４５に向けて開く開口を有している。ダストボックス５の開口は、前後方向において延びて設けられ、ブラシ４５の繊維４５ｂに付着した塵埃を溜めるように構成されている。
【００９３】
なお、ダストボックス５が開口する方向は、ランプ２１ａ，２１ｂ，２１ｃ，２１ｄの光軸Ｌ１，Ｌ２が延びる方向と同じであるため、光軸Ｌ１，Ｌ２を水平方向に平行に設けた場合には、ダストボックス５は水平方向に向けて開口する。このとき、ダストボックス５から塵埃が流出する可能性は低い。
【００９４】
また、本実施形態においては、ダストボックス５には除塵体６が取り付けられている。具体的には、除塵体６は、内側ケース５Ａの左側端部に設けられている。除塵体６は、ダストボックス５がケース４１に取り付けられたときに、ブラシ４５の繊維４５ｂに入るように設けられている。従って、ブラシ４５が回転することにより、ブラシ４５の繊維４５ｂから埃が除去される。なお、除塵体６の左側端部は、鋸状に形成されているため、ブラシ４５に付着した塵埃を効果的に除去することができる。
【００９５】
ここで、本実施形態においては、左右方向においてケース４１と対向する側面３５ｂ，３６ｂに、ブラシ４５が往復移動する方向（即ち、左右方向）に沿って設けられた溝３５Ｄ，３６Ｄが設けられ、ケース４１に、溝３５Ｄ，３６Ｄに対して摺動する突起４１Ａ，４１Ｂが設けられていることに特徴がある。
【００９６】
即ち、ケース４１の突起４１Ａが溝３５Ｄに挿入されることにより、第１のラック３５に設けられた溝３５Ｄは、第１の係合部として、ケース４１に設けられた第２の係合部である突起４１Ａと係合する構成となっている。従って、ケース４１が移動するときには、突起４１Ａが溝３５Ｄに対して摺動する。具体的には、突起４１Ａは、溝３５Ｄの３つの面３５ｃ，３５ｄ，３５ｅに摺動可能である。このとき、溝３５Ｄと突起４１Ａとが係合することにより、左右方向に対して直交する方向へのケース４１の移動が規制される。即ち、突起４１Ａが第１のラック３５によって支持されることにより、ケース４１の前側端部の移動が規制される。
【００９７】
また、ケース４１の突起４１Ｂが溝３６Ｄに挿入されることにより、第２のラック３６に設けられた溝３６Ｄは、第１の係合部として、ケース４１に設けられた第２の係合部である突起４１Ｂと係合する構成となっている。従って、ケース４１が移動するときには突起４１Ｂが溝３６Ｄに対して摺動する。具体的には、突起４１Ｂは、溝３６Ｄの３つの面３６ｃ，３６ｄ，３６ｅに摺動可能である。このとき、溝３６Ｄと突起４１Ｂとが係合することにより、左右方向に対して直交する方向へのケース４１の移動が規制される。即ち、突起４１Ｂが第２のラック３６によって支持されることにより、ケース４１の後側端部の移動が規制される。
【００９８】
図１１及び図１２を参照しながら、ラック３５，３６による支持構造を詳しく説明する。図１１は、第１のラック３５による突起４１Ａの支持構造を示す断面図である。また、図１２は、第２のラック３６による突起４１Ｂの支持構造を示す断面図である。なお、図１１及び図１２に示す断面は、図４のＡ−Ａ矢視断面である。
【００９９】
図１１及び図１２に示すように、ピニオン４３Ａ，４３Ｂが基材３１にねじ止めされたラック３５，３６と噛み合っている状態において、突起４１Ａは溝３５Ｄに挿入され、かつ、突起４１Ｂは溝３６Ｄに挿入されている。
【０１００】
第１の面３５ｃ，３６ｃは、前後方向に対して垂直である。即ち、第１の面３５ｃは、第１のピニオン４３Ａの回転の中心となる回転中心線Ｒ１（図１１参照）に対して垂直である。また、第１の面３６ｃは、第２のピニオン４３Ｂの回転の中心となる回転中心線Ｒ２（図１２参照）に対して垂直である。なお、回転中心線Ｒ１と回転中心線Ｒ２は、本実施形態においては互いに偏心していないため、同一直線である。以上のような第１の面３５ｃに対して、第２の面３５ｄ及び第３の面３５ｅは垂直に接続されるとともに、第１の面３６ｃに対して、第２の面３６ｄ及び第３の面３６ｅは垂直に接続されている。
【０１０１】
即ち、回転中心線Ｒ１，Ｒ２は、ブラシ４５により掃除されるエアフィルタ３４の面が延びる方向に平行であって、第２の面３５ｄ及び第３の面３５ｅは、ブラシ４５により掃除されるエアフィルタ３４の面に対して垂直な方向において対向している。第２の面３６ｄ及び第３の面３６ｅも、第２の面３５ｄ及び第３の面３５ｅと同様に、ブラシ４５により掃除されるエアフィルタ３４の面に対して垂直な方向において対向している。
【０１０２】
以上のような構成の溝３５Ｄに挿入される突起４１Ａは、溝３５Ｄに挿入されたときに、第２の面３５ｄまたは第３の面３５ｅとの間隔が、第１の面３５ｃとの間隔に比べて短くなるように形成されている。また、溝３６Ｄに挿入される突起４１Ｂも同様に、溝３６Ｄに挿入されたときに、第２の面３６ｄまたは第３の面３６ｅとの間隔が、第１の面３６ｃとの間隔に比べて短くなるように形成されている。即ち、突起４１Ａ，４１Ｂと溝３５Ｄ，３６Ｄとの間隔が、図１３に示すように設計されている。
【０１０３】
図１３は、突起４１Ａ，４１Ｂと、溝３５Ｄ，３６Ｄを構成する面３５ｃ，３５ｄ，３５ｅ，３６ｃ，３６ｄ，３６ｅとの間隔をより詳しく説明するための模式図である。図１３において、外方及び内方を示す矢印は、エアフィルタ３４の面に対して垂直な方向を示している。
【０１０４】
図１３に示すように、第１のラック３５の溝３５Ｄを構成する第２の面３５ｄと第３の面３５ｅは、エアフィルタ３４の面に対して垂直な方向において対向して設けられている。エアフィルタ３４の面に対して垂直な方向における突起４１Ａの寸法Ｄ３は、第２の面３５ｄから第３の面３５ｅまでの距離Ｄ１に比べて小さい。
【０１０５】
また、第２のラック３６の溝３６Ｄを構成する第２の面３６ｄと第３の面３６ｅも、エアフィルタ３４の面に対して垂直な方向において対向して設けられている。エアフィルタ３４の面に対して垂直な方向における突起４１Ｂの寸法Ｄ３は、第２の面３５ｄから第３の面３５ｅまでの距離Ｄ１に比べて小さい。なお、本実施形態においては、突起４１Ａの寸法Ｄ３と突起４１Ｂの寸法Ｄ３は同じであって、第２の面３５ｄから第３の面３５ｅまでの距離Ｄ１と第２の面３６ｄから第３の面３６ｅまでの距離Ｄ１も同じである。
【０１０６】
第１のラック３５の溝３５Ｄを構成する第１の面３５ｃと、第２のラック３６の溝３６Ｄを構成する第１の面３６ｃとは、所定の直線方向である前後方向において対向して設けられている。突起４１Ａ及び突起４１Ｂを含むケース４１の前後方向における寸法Ｄ４は、第１の面３５ｃから第１の面３６ｃまでの距離Ｄ２に比べて小さい。
【０１０７】
ここで、本実施形態においては、距離Ｄ１をｄ１とし、寸法Ｄ３をｄ３とし、距離Ｄ２をｄ２とし、寸法Ｄ４をｄ４としたときに、以下の数式を満たすように形成されている。
（ｄ１−ｄ３）／２＜（ｄ２−ｄ４）／２
【０１０８】
上記の数式を満たすように突起４１Ａ，４１Ｂを含むケース４１が設計されれば、ケース４１の長手方向である前後方向においてケース４１の樹脂成形時に寸法Ｄ４に誤差が生じた場合であっても、突起４１Ａから第１の面３５ｃまでの間隔、突起４１Ｂから第１の面３６ｃまでの間隔を確保し易い。
【０１０９】
従って、溝３５Ｄに挿入された突起４１Ａ、及び溝３６Ｄに挿入された突起４１Ｂは、プロジェクタ１の設置態様に応じて、第１の面３５ｃ，３６ｃ及び第２の面３５ｄ，３６ｄ及び第３の面３５ｅ，３６ｅのうち少なくとも１つの面によって摺動可能に支持される。
【０１１０】
例えば、図１４に示すようにプロジェクタ１が机等の水平面に設置されたときには、図１５に示すように、突起４１Ａは、溝３５Ｄを構成する第３の面３５ｅにより支持されるとともに、突起４１Ｂは、溝３６Ｄを構成する第３の面３６ｅにより支持される。
【０１１１】
また、例えば、図１６に示すようにプロジェクタ１が天井に設置されたときには、図１７に示すように、突起４１Ａは、溝３５Ｄを構成する第２の面３５ｄにより支持されるとともに、突起４１Ｂは、溝３６Ｄを構成する第２の面３６ｄにより支持される。
【０１１２】
また、例えば、図１８に示すように天井に映像を表示するためにプロジェクタ１が壁に設置されたときには、図１９に示すように、突起４１Ｂは、溝３６Ｄを構成する第１の面３６ｃにより支持される。
【０１１３】
また、例えば、図２０に示すように床に映像を表示するようにプロジェクタ１が壁に設置されたときには、図２１に示すように、突起４１Ａは、溝３５Ｄを構成する第１の面３５ｃにより支持される。
【０１１４】
また、本実施形態においては、発熱の低減、動力消費の低減、摩擦音の低減、摩擦振動の低減を図るために、ラック３５，３６が、ＡＢＳ樹脂とは異なる樹脂材料であるポリアセタールにより形成されている。
【０１１５】
本実施形態によれば、以下の効果を得ることができる。
（１）エアフィルタ装置３は、ブラシ４５と、支持部であるラック３５，３６と、推進機構であるピニオン４３Ａ，４３Ｂと、ケース４１とを備え、ラック３５，３６は、ケース４１と対向する側面３５ｂ，３６ｂを有している。側面３５ｂ，３６ｂには、ブラシ４５が往復移動する方向（即ち、左右方向）に沿って設けられた第１の係合部として溝３５Ｄ，３６Ｄが設けられ、ケース４１には、ラック３５，３６の側面３５ｂ，３６ｂに設けられた溝３５Ｄ，３６Ｄと係合して溝３５Ｄ，３６Ｄに対して摺動する第２の係合部として突起４１Ａ，４１Ｂが設けられている。溝３５Ｄ，３６Ｄと突起４１Ａ，４１Ｂとが係合することにより、左右方向に対して直交する方向へのケース４１の移動が規制される。このため、左右方向に沿って設けられた溝３５Ｄ，３６Ｄにより、左右方向に対して直交する方向において、ブラシ４５とともに往復移動するケース４１の突起４１Ａ，４１Ｂを支持することができる。従って、ラック３５，３６とケース４１とによりケース４１の往復移動を確実にガイドするためのガイド形状を形成することができ、ピニオン４３Ａ，４３Ｂとラック３５，３６とが噛み合う箇所以外でもケース４１が支持され、重力が作用する方向である重力方向が変化する場合であっても、ブラシ４５とともに往復移動するケース４１を確実に支持することが可能となる。
【０１１６】
（２）ブラシ４５が往復移動する方向に沿って設けられた支持部はラック３５，３６であって、ブラシ４５及びケース４１を往復移動させるための推進機構はラック３５，３６と噛み合うピニオン４３Ａ，４３Ｂである。このため、推進機構と支持部の摩擦力が確保し易い。
【０１１７】
（３）ラック３５，３６の側面３５ｂ，３６ｂに設けられた第１の係合部は、側面３５ｂ，３６ｂに対して窪んだ溝３５Ｄ，３６Ｄであり、ケース４１に設けられた第２の係合部は、溝３５Ｄ，３６Ｄに挿入されて溝３５Ｄ，３６Ｄに対して摺動する突起４１Ａ，４１Ｂである。従って、ラック３５，３６に溝３５Ｄ，３６Ｄを設けてケース４１に突起４１Ａ，４１Ｂを設けるだけの簡易な構成（金型）により、ケース４１の往復移動を確実にガイドするためのガイド形状を形成することができる。
【０１１８】
（４）溝３５Ｄは、突起４１Ａが摺動する３つの面３５ｃ，３５ｄ，３５ｅにより構成されている。このため、１つの溝３５Ｄにより突起４１Ａを３方向から支持することが可能である。
【０１１９】
また、溝３６Ｄは、突起４１Ｂが摺動する３つの面３６ｃ，３６ｄ，３６ｅにより構成されている。このため、１つの溝３６Ｄにより突起４１Ｂを３方向から支持することが可能である。
【０１２０】
（５）ピニオン４３Ａは回転することによってケース４１を推進させる回転体であって、３つの面３５ｃ，３５ｄ，３５ｅは、ピニオン４３Ａの回転の中心となる回転中心線Ｒ１に対して垂直な第１の面３５ｃと、第１の面３５ｃに対して垂直であって互いに平行に対向する第２の面３５ｄ及び第３の面３５ｅとにより構成されている。このため、第１の面３５ｃにより、ピニオン４３Ａの回転中心線Ｒ１に対して平行な方向のケース４１の移動を規制することができる。また、第２の面３５ｄ及び第３の面３５ｅにより、ケース４１が往復移動する方向を除いて、ピニオン４３Ａの回転中心線Ｒ１に対して垂直な方向のケース４１の移動を規制することができる。よって、第１〜第３の面３５ｃ，３５ｄ，３５ｅにより、互いに直交する３方向から突起４１Ａを支持することができる。
【０１２１】
また、ピニオン４３Ｂも回転することによってケース４１を推進させる回転体であって、３つの面３６ｃ，３６ｄ，３６ｅは、ピニオン４３Ｂの回転の中心となる回転中心線Ｒ２に対して垂直な第１の面３６ｃと、第１の面３６ｃに対して垂直であって互いに平行に対向する第２の面３６ｄ及び第３の面３６ｅとにより構成されている。よって、第１〜第３の面３６ｃ，３６ｄ，３６ｅにより、第１〜第３の面３５ｃ，３５ｄ，３５ｅと同様にして、互いに直交する３方向から突起４１Ｂを支持することができる。
【０１２２】
（６）第２の面３５ｄ及び第３の面３５ｅは、ブラシ４５により掃除されるエアフィルタ３４の面に対して垂直な方向において対向し、第２の面３６ｄ及び第３の面３６ｅも、エアフィルタ３４の面に対して垂直な方向において対向する。溝３５Ｄに突起４１Ａが挿入され、かつ、溝３６Ｄに突起４１Ｂが挿入された状態において、第２の面３５ｄまたは第３の面３５ｅと突起４１Ａとの間隔が、第１の面３５ｃと突起４１Ａの間隔に比べて短く、第２の面３６ｄまたは第３の面３６ｅと突起４１Ｂとの間隔が、第１の面３６ｃと突起４１Ｂの間隔に比べて短い。このため、第２の面３５ｄ，３６ｄ及び第３の面３５ｅ，３６ｅにより、エアフィルタ３４の面に対して垂直な方向におけるケース４１の移動が規制され易く、ケース４１に設けられたブラシ４５をエアフィルタ３４の面に対して安定的に押し当てることができる。
【０１２３】
（７）エアフィルタ装置３は、エアフィルタ３４を挟むようにして設けられた第１のラック３５及び第２のラック３６を備えている。そして、第１のラック３５及び第２のラック３６が有する側面３５ｂ，３６ｂの各々に溝３５Ｄ，３６Ｄが設けられ、ケース４１には、第１のラック３５及び第２のラック３６に設けられた溝３５Ｄ，３５Ｄの各々と係合するように複数の突起４１Ａ，４１Ｂが設けられている。このため、第１のラック３５と第２のラック３６とケース４１とによりケース４１の往復移動をガイドするためのガイド形状を形成することができ、ケース４１をより確実に支持することが可能となる。
【０１２４】
（８）ケース４１は樹脂材料であるＡＢＳ樹脂により形成され、ラック３５，３６は、ＡＢＳ樹脂に比べて摺動性の高いポリアセタールにより形成されている。このため、ケース４１とラック３５，３６とがＡＢＳ樹脂により形成されている場合に比べて、溝３５Ｄ，３６Ｄに対する突起４１Ａ，４１Ｂの摺動性を高めることができる。摺動性を高めることにより、耐摩耗性の向上、摺動に伴う発熱の低減、摺動に要する動力消費の低減、摺動に伴う摩擦音の低減、摺動に伴う摩擦振動の低減の少なくとも１つを図ることができる。
【０１２５】
（９）摺動性の高い樹脂材料として、ポリアセタールを用いてラック３５，３６が形成されている。このため、耐摩耗性に優れた溝３５Ｄ，３６Ｄを形成することができる。また、安価な樹脂材料（ポリアセタール）を用いてラック３５，３６が形成できる。
【０１２６】
（１０）プロジェクタ１は、上記作用効果を奏するエアフィルタ装置３を備えている。従って、エアフィルタ装置３を備えるプロジェクタ１により、上記（１）〜（８）に記載の効果を得ることができる。
【０１２７】
なお、本発明は、上記実施形態に限定されるものではなく、本発明の趣旨に基づいて種々の設計変更をすることが可能であり、それらを本発明の範囲から除外するものではない。例えば、上記実施形態を以下のように変更してもよく、以下の変更を組み合わせてもよい。
【０１２８】
・ポリアミド、フッ素系樹脂、ポリフェニレンサルファイド、ポリエチレン、またはポリエチレンテレフタラートを用いてラック３５，３６が形成されていてもよい。即ち、摺動性の高い樹脂材料として、ポリアセタール及びポリアミド及びフッ素系樹脂及びポリフェニレンサルファイド及びポリエチレン及びポリエチレンテレフタラートのうちいずれかの樹脂を用いてラック３５，３６が形成されていれば、耐摩耗性に優れた溝３５Ｄ，３６Ｄを形成することができる。なお、摺動性の高いフッ素系樹脂としては、ポリテトラフルオロエチレンを好適に用いることができる。また、摺動性の高いポリエチレンとしては、超高分子量高密度ポリエチレンを好適に用いることができる。
【０１２９】
・ケース４１を形成する樹脂材料はＡＢＳ樹脂に限られない。また、その他の構成部品についても、材料を適宜変更することはでき、例えば、樹脂材料により形成される構成部品を金属材料により形成してもよい。
【０１３０】
・推進機構は、ブラシ４５及びケース４１を往復移動させることができるのであれば、ピニオン４３Ａ，４３Ｂに限定されず、また、推進機構を支持する支持部は、ラック３５，３６に限定されない。例えば、推進機構が、外周に歯が形成されていない回転体であってもよく、支持部が、ブラシ４５が往復移動する方向に沿って設けられた平面を有するレールであってもよい。
【０１３１】
・ラック３５，３６の側面３５ｂ，３６ｂに設けられた第１の係合部を突起により構成するとともに、ケース４１に設けられた第２の係合部を溝により構成してもよい。即ち、ラック３５，３６によるケース４１の支持構造は、突起４１Ａ，４１Ｂ及び溝３５Ｄ，３６Ｄによる構成に限られない。
【０１３２】
・ケース４１の前側端部の支持構造とケース４１の後側端部の支持構造とが異なっていてもよい。即ち、例えば、ケース４１の前側端部においては、ケース４１に設けられた突起４１Ａがラック３５に設けられた溝３５Ｄにより支持され、ケース４１の後側端部においては、ケース４１に設けられた溝（不図示）がラック３５に設けられた突起（不図示）により支持される構成であってもよい。
【０１３３】
・プロジェクタ１及びエアフィルタ装置３の構成が左右方向において反転した構成であってもよい。また、プロジェクタ１及びエアフィルタ装置３の構成が前後方向において反転した構成であってもよい。また、ブラシ４５及びケース４１が往復移動する方向は左右方向に限定されない。
【０１３４】
・ブラシ４５とともに移動しないダストボックスを備えたエアフィルタ掃除装置（不図示）であってもよい。即ち、移動する掃除ユニット４がダストボックス５を備えていなくてもよい。例えば、外方及び内方から見てエアフィルタ３４と重ならない位置である待機位置にダストボックスが設けられていてもよい。この場合には、待機位置に移動したブラシ４５が回転することにより、ブラシ４５の繊維４５ｂから埃が除去されて、ブラシ４５に付着した埃がダストボックスに溜められる。なお、このような構成においては、エアフィルタ掃除装置は、動力源として、ブラシ４５及びケース４１を含む掃除ユニット４を移動させる電動モータと、掃除ユニット４を移動させることなくブラシ４５を回転させる他の電動モータとを備えていることが好ましい。
【０１３５】
・本願発明は、４つの光源を備える投写型映像表示装置に限られず、１つの光源を備える投写型映像表示装置や、２つ以上の光源を備える投写型映像表示装置であってもよい。また、投写型映像表示装置は液晶プロジェクタに限られず、例えばＤＭＤ（Digital Micromirror Device）を用いて映像を表示する投写型映像表示装置であってもよい。
【符号の説明】
【０１３６】
１…プロジェクタ（投写型映像表示装置）、２…光学系、３…エアフィルタ装置（エアフィルタ掃除装置）、４…掃除ユニット、５…ダストボックス、５Ａ…内側ケース、５Ｂ…外側ケース、６…除塵体、１０…筐体、１０ｅ…底面、２１ａ，２１ｂ，２１ｃ，２１ｄ…ランプ、２９…投射レンズ、３１…基材、３１ａ…開口、３１ｂ…突起、３２…静電フィルタ、３４…エアフィルタ、３４Ａ…枠部材、３５…第１のラック（第１の支持部）、３５Ａ…挿入部、３５Ｂ…被固定部、３５Ｄ…溝（第１の係合部）、３５Ｇ…歯、３５ａ…貫通孔、３５ｂ…側面、３５ｃ…第１の面、３５ｄ…第２の面、３５ｅ…第３の面、３６…第２のラック（第２の支持部）、３６Ａ…挿入部、３６Ｂ…被固定部、３６Ｄ…溝（第１の係合部）、３６Ｇ…歯、３６ａ…貫通孔、３６ｂ…側面、３６ｃ…第１の面、３６ｄ…第２の面、３６ｅ…第３の面、３７…コネクタ、３８…パネル、４１…ケース、４１Ａ，４１Ｂ…突起（第２の係合部）、４１ａ…モータ収容部、４１ｂ…回転軸収容部、４１ｃ…動力伝達機構収容部、４２…電動モータ、４２Ａ…モータカバー、４２Ｂ…プリント配線板、４２ａ…出力軸、４２ｂ…かさ歯車、４３…回転軸、４３Ａ…第１のピニオン、４３Ｂ…第２のピニオン、４３ａ…かさ歯車、４３ｂ…平歯車、４４…動力伝達機構、４５…ブラシ、４５ａ…軸部材、４５ｂ…繊維、４６，４７…カバー、４８，４９…樹脂部材、５１…内側壁部、５１ａ…隔壁、５１ｂ…移動規制片、５１ｃ…突部、５１ｄ…突出部、５２…右側壁部、５３…前側壁部、５４…後側壁部、５５…軸部、５６…外側壁部、５７…ブラシカバー部、５７ａ…隔壁、５７ｂ…係止片、５８…軸支持部、５９…取付部、６１…貫通孔、Ｒ１，Ｒ２…回転中心線。
【図１】
0005606805.tif 000002
【図２】
0005606805.tif 000003
【図３】
0005606805.tif 000004
【図４】
0005606805.tif 000005
【図５】
0005606805.tif 000006
【図６】
0005606805.tif 000007
【図７】
0005606805.tif 000008
【図８】
0005606805.tif 000009
【図９】
0005606805.tif 000010
【図１０】
0005606805.tif 000011
【図１１】
0005606805.tif 000012
【図１２】
0005606805.tif 000013
【図１３】
0005606805.tif 000014
【図１４】
0005606805.tif 000015
【図１５】
0005606805.tif 000016
【図１６】
0005606805.tif 000017
【図１７】
0005606805.tif 000018
【図１８】
0005606805.tif 000019
【図１９】
0005606805.tif 000020
【図２０】
0005606805.tif 000021
【図２１】
0005606805.tif 000022